(57)【要約】【課題】部材を省略化できて簡略化、低コスト化が可能であり、しかも、楽な姿勢で昇降操作及び錠装置の施解錠操作ができるシャッターを提供する。【解決手段】昇降可能なシャッターパネルが設けられる開口部の枠部材に係止部材を設けるとともに、シャッターパネルに係止部材に係脱する係止体を設け、シャッターパネルが下降するときに係止体が一定の係止動作をして係止部材に自動的に係止し、シャッターパネルの上昇を規制する錠装置を備えたシャッターにおいて、シャッターパネルの部屋内側に、係止体が連係し、回動して係止体に解錠動作をさせる解錠操作レバーを設けるとともに、解錠操作レバーの部屋内側に解錠操作レバーを回動操作するときに手を掛ける手掛かり部とシャッターパネルを昇降操作するときに手を掛ける手掛かり部とを兼ねる筒状部を膨出させて設けたことを特徴とするシャッター。【選択図】　　　　図１
2004027713.tif 000002
【特許請求の範囲】
【請求項１】
昇降可能なシャッターパネルが設けられる開口部の枠部材に係止部材を設けるとともに、シャッターパネルに係止部材に係脱する係止体を設け、シャッターパネルが下降するときに係止体が一定の係止動作をして係止部材に自動的に係止し、シャッターパネルの上昇を規制する錠装置を備えたシャッターにおいて、シャッターパネルの部屋内側に、係止体が連係し、回動して係止体に解錠動作をさせる解錠操作レバーを設けるとともに、解錠操作レバーの部屋内側に解錠操作レバーを回動操作するときに手を掛ける手掛かり部とシャッターパネルを昇降操作するときに手を掛ける手掛かり部とを兼ねる筒状部を膨出させて設けたことを特徴とするシャッター。
【請求項２】
シャッターパネルが左右両側をガイドレールで案内されるものであり、係止部材が左右のガイドレール内に設けられる他、係止体がシャッターパネルの左右両端に設けられており、係止体が解錠操作レバーの筒状部に挿嵌して連係し、且つ、挿嵌部位を係止体の係止動作では影響を受けないスペースを有するものとした請求項１のシャッター。
【請求項３】
係止体のガイドレールと解錠操作レバーとの間がカバー部で覆われている請求項２のシャッター。
【請求項４】
シャッターパネルの解錠操作レバーから離れた下方位置に係止体を設け、係止体が可撓性の連結体を介して解錠操作レバーに連係し、且つ、連結体と連係する解錠操作レバーの部位を筒状部とした請求項１のシャッター。
【請求項５】
筒状部が、解錠操作レバーの全長に亘って一様な断面で形成される請求項１〜４いずれかのシャッター。
【発明の詳細な説明】
【０００１】
【発明の属する技術分野】
本発明は、住宅の縁側や窓等の開口部の外側に設けられるシャッターに関するものである。
【０００２】
【従来技術】
本出願人は、建物の開口部に設けられるシャッターパネルのほぼ全幅に亘る長さの錠操作板をシャッターパネルの構成片であるスラットの長手方向に設定された軸芯の回りに回動可能に取り付け、この錠操作板を回動させることによってスラットに設けた錠機構が施錠状態にあるのを解錠状態に操作できる錠装置を取り付けたシャッター（特開平１１−１５２９７５号公報）を提案している。この錠装置によれば、左右何れかの障子や窓を僅かに開けるだけで解錠操作を行うことができ、しかも錠装置の取り付けをシャッターパネルの上下方向任意の位置とすることができるので、楽な立ち姿勢で解錠操作を行うことができる。
【０００３】
【発明が解決しようとする課題】
この場合、上記したシャッターの錠操作板は、錠操作板を回動させる際の手掛かり部をその下端から前方へ向けて突設した断面Ｌ字状の板状部材であるが、この手掛かり部は、スラットを巻き取る都合上の限られた突出寸法内で極力下面側に手を掛けて回動操作し易くするため、幾分前下がりに傾斜させるとともに先端を下向きに折り曲げた形状としている。しかし、このような手掛かり部の上面側に手を掛けてシャッターパネルを引き下げることは困難であるから、錠操作板を取り付けるスラットの下方位置に指が入るスペース分隔てて別途専用の手掛かり部を設ける必要があった。よって、錠操作板を取り付けるスラットは上下長が大きくならざるを得ず、シャッターパネルの巻き取り径も大きくなってしまう。
【０００４】
又、上記した錠機構は、開口部側の係止部材に対してスラットに設けられる係止体を係脱させて施解錠をするものであり、これにおいて、シャッターパネルが下降するときは、係止体が係止部材を通過するために一定の前後又は左右動きからなる退避動作をさせられるものとなっている。従って、この動きのときに係止体が人の身体や衣服に当たったり、又、退避動作後の復帰動作の際に指を挟んだり、衣服を噛み込んだりする虞がある。更に、係止体はシャッターパネルの部屋内側に露出して設けられていて係脱動作の度に動くのが目に見える。このようなものが見えると、看者に不安感を与えるし、外観的にも好ましいとはいえない。
【０００５】
更に、解錠操作レバーは長尺物になるから、これを単に板状のものにしただけでは、解錠操作レバーの端を持って解錠操作をした場合、解錠操作レバーが捩じれて他端側では解錠に必要なストロークが取れないといったことがある。又、永久変形をして機能不能になることもある。このため、板厚を大きくしたり、解錠ストロークを大きめに設定したりして対応しているが、無駄が多く、コストが高くなる。本発明は、このような課題を解決するものであり、解錠操作レバーの形状や構造並びに係止体との連係構造を工夫することで、この問題を解決したものである。
【０００６】
【課題を解決するための手段】
以上の課題の下、本発明は、請求項１に記載の、昇降可能なシャッターパネルが設けられる開口部の枠部材に係止部材を設けるとともに、シャッターパネルに係止部材に係脱する係止体を設け、シャッターパネルが下降するときに係止体が一定の係止動作をして係止部材に自動的に係止し、シャッターパネルの上昇を規制する錠装置を備えたシャッターにおいて、シャッターパネルの部屋内側に、係止体が連係し、回動して係止体に解錠動作をさせる解錠操作レバーを設けるとともに、解錠操作レバーの部屋内側に解錠操作レバーを回動操作するときに手を掛ける手掛かり部とシャッターパネルを昇降操作するときに手を掛ける手掛かり部とを兼ねる筒状部を膨出させて設けたことを特徴とするシャッターを提供したものである。
【０００７】
以上の手段をとることにより、即ち、解錠操作レバーを回動操作してシャッターパネルを引き上げるときには解錠操作レバーの筒状部の下面側を手掛かり部に、又、シャッターパネルを引き降ろすときには筒状部の上面側を手掛かり部とできるものであるから、従来、解錠操作レバーを取り付ける錠用スラットに設けていたシャッターパネルを引き降ろす際の手掛かり部の構成を省略することができ、巻き径の小型化、低コスト化が可能となる。そして、筒状部の存在によって解錠操作レバーの強度は上がり、回動操作時に捩じれや変形が起こらない。
【０００８】
一方、この種のシャッターでは、シャッターパネルが左右両側をガイドレールで案内されるものであり、係止部材がガイドレール内に設けられているものが多いが、これにおいて、請求項２に記載の、係止体がシャッターパネルの左右両端に設けられており、係止体が解錠操作レバーの筒状部に挿嵌して連係し、且つ、挿嵌部位を係止体の係止動作では影響を受けないスペースを有するものにすると、解錠操作レバーは、係止体の係止動作のときにも回動することがない。従って、身体や衣服に当たることもなければ、復帰動作の際に指や衣服を挟まれることもない。更に、これにおいて、請求項３に記載の、係止体のガイドレールと解錠操作レバーとの間がカバー部で覆われていると、係止体はほとんど目に触れなくなり、不安感がなくなるとともに、体裁もよくなる。
【０００９】
更に、本発明は、請求項１のシャッターにおいて、請求項４に記載した、シャッターパネルの解錠操作レバーから離れた下方位置に係止体を設け、係止体が可撓性の連結体を介して解錠操作レバーに連係し、連結体と解錠操作レバーとの連係を係止体の係止動作では影響を受けない構成にし、且つ、連結体と連係する解錠操作レバーの部位を筒状部としたものであると、錠装置として、係止体が可撓性の連結体を介して解錠操作レバーと連係し、回動して係止体に解錠動作をさせるものに依ると、これにおいても、連結体と解錠操作レバーとの連係を係止体の上記退避動作では影響を受けない構成にすれば、解錠操作レバーは、係止体の退避動作のときにも回動することがないので、身体や衣服に当たることもなければ、復帰動作の際に指や衣服を挟まれることもない。又、連結体が解錠操作レバーに連係する部位を筒状部とすれば、解錠操作レバーの強度は上がり、捩じれや変形が起こらない。尚、いずれの錠装置においても、請求項５に記載の、筒状部が、解錠操作レバーの全長に亘って一様な断面で形成されるとすれば、押出成形等でより一層生産性に優れた強度の高いものにできる。
【００１０】
【発明の実施の形態】
以下、本発明の実施の形態を図面を参照して説明する。図１〜図９は本発明の第１を示すもので、このうち、図１、図２はシャッターの錠装置の斜視図、図３はシャッターの裏面図、図４は要部拡大裏面図、図５は図４中Ａ−Ａ断面図、図６は同Ｂ−Ｂ断面図、図７は同Ｃ−Ｃ断面図、図８は同Ｄ−Ｄ断面図である。シャッターは、薄い金属板からなる多数のスラット２０を連結したシャッターパネル１０（以下、パネルという）を上方のドラム１１に巻き吊るし、その左右両端を開口部の左右両側縁に固定したガイドレール１２に挿入して昇降の案内をさせているものである。尚、図示は省略するが、ドラム１１にはバネが組み込まれており、パネル１０を軽い力の手動で昇降できるように、このバネとパネル１０の重量をバランスさせてある。
【００１１】
ガイドレール１２は、アルミの押出成形品等で構成されて相当の強度を有するものであり、後壁１３、側壁１４、前壁１５とによって内端側が開口する断面コ字形に形成されており、後壁１３と前壁１５との間にパネル１０の両端を収容して前後動きを僅かな範囲に拘束しながら昇降させるものである。本例に適用される錠装置００は、このガイドレール１２内に後壁１３から前方に突設された係止部材３０と、スラット２０の一つと代替されて設けられた錠用スラット４０の左右両端の後面側（部屋内側）に軸着部材５０によって軸着され、特定の動きをして係止部材３０に係脱する係止体６０とからなる他、同じく錠用スラット４０の部屋内側に取り付けられて係止体６０に協働作用をさせて解錠させる解錠操作レバー７０を備えており、更に、錠装置００の防犯性能を向上させる機能を有する規制部材８０をガイドレール１２内に取り付けたものからなる。
【００１２】
この場合のスラット２０は、上端と下端にフック状の連結部２１がそれぞれ左右全幅に亘って形成されており、各スラット２０の連結部２１同士が屈曲可能に嵌合してスラット２０同士を連結するものである。そして、互いに左右に抜けない構造とするために、連結部２１の両端に抜止部２２を形成している。具体的には、図４及び図７に示すように、下側の連結部２１の左右両端が上側の連結部２１の両端に設けた切抜孔内に位置するようにしておき、この切抜孔の外側部分をスラット同士を連結した後に押し潰すようにしたものである。
【００１３】
錠用スラット４０は、スラット２０と同様に、上端と下端にフック状の連結部４１がそれぞれ形成されていて、上下の各スラット２０の連結部２１と互いに屈曲可能に嵌合して連結されるものである。この場合、錠用スラット４０の上下丈及び厚さはスラット２０とほぼ同じに設定されている。錠用スラット４０は、パネル１０の上下中間位置に挿設されることが多いから、当然、ドラム１１に巻き取られるが、このときの巻き取りをスラット２０と同様にするためである。錠用スラット４０は、その機能上、通常のスラット２０よりも強度が必要で、断面形状も複雑になるから、アルミの押出成形品等が好ましい。
【００１４】
係止部材３０は、下り勾配の斜辺部３１とその下に連なる水平部３２とからなる側面視三角形をしているものであり、開口部に固定される縦枠部材の一つであるガイドレール１２内にリベットや溶接等で固定されるが、本例では規制部材８０と一体に設け、取り付けの手間を省いている。係止体６０は、回動軸部６１の外側に上段の係止部６２と内側に下段の掛合部６３をクランク状に延設したクランク棒であり、回動軸部６１を錠用スラット４０の長手方向に向けて軸着部材５０で回動可能に軸着したものである。この場合、係止部６２はガイドレール１２内に延びて係止部材３０と重合する位置関係にしてあって、係止部材３０の水平部３２に対して係止が可能であり、掛合部６３は解錠操作レバー７０に連係されており、解錠操作レバー７０の回動によって係止部材３０に対する係止部６２の係止を外すものである。更に、係止部６２と軸着部材５０との間にはコイル形をしたバネ６４が掛けられており、このバネ６４で係止部６２は常時係止部材３０に係止する方向（反パネル１０側）に回動付勢されている。
【００１５】
解錠操作レバー７０は、左右の係止体６０間にパネル１０のほぼ全幅に亘って設けられるものであり、錠用スラット４０上端の連結部４１の下方に一体に設けられる軸受部４２に、解錠操作レバー７０の上端に形成された軸部７１が嵌挿されて回動可能に取り付けてある。この軸部７１からは、板状部７２ａが垂下しており、板状部７２ａの下端には、周囲が壁材で閉ざされたスペース７２ｂを有する筒状部７２ｃが部屋内側に膨出して形成されている。この筒状部７２ｃによって解錠操作レバー７０の強度は上がり、捩じれや変形のないものになるが、同時に、これを操作するときに指を掛ける指掛け部７２ｃともなる。従って、指掛け部７２ｃは、解錠操作レバー７０の全長に亘って形成されるのが好ましく、このようなものは、アルミの押出等によって簡単に成形できる。
【００１６】
係止体６０と解錠操作レバー７０との連係は、係止体６０の掛合部６３を解錠操作レバー７０の指掛け部７２ｃのスペース７２ｂの中に挿嵌する方法に依っている。この場合、係止部６２がバネ６４の作用で係止部材３０の水平部３２の下面に入り込んでいる施錠状態のときには、掛合部６３は指掛け部７２ｃの前壁に当接してそれ以上回動できないようにしてある。尚、パネル１０が下降するとき、係止部３２は係止部材３０の斜辺部３１を乗り越えるために前方移動する退避動作をとるが、これに伴う掛合部６３の後方移動によっては解錠操作レバー７０は動かないものとなっている。即ち、このときの係止部３２の前後動きは、指掛け部７２ｃのスペース７２ｂ内で行なわれるようになっている。
【００１７】
ところで、本例の指掛け部（筒状部）７２ｃの上壁は、係止体６０の回動軸部６１より下方に設定してあるから、係止部３２との境のクランクの部分を指掛け部７２ｃ内に挿入することができない。このため、係止体３０の回動軸部６１と係止部３２との間のクランクの部分が露出することになるが、指掛け部７２ａの上壁を回動軸部６１よりも高くしておけば、指掛け部７２ａを取付基部５１まで延ばすことで隠すことができ、この場合は、手掛かり部７２ａが長くなって強度上好ましいものとなる。しかし、使用する材料が増えることになるから、本例では、軸着部材５０のこれが存在する取付基部５１と指掛け部７２ｃとの間に係止部３２の回動を許容する空間を有するカバー部６５を設け、この部分を隠す構造にしている。
【００１８】
軸着部材５０は、錠用スラット４０の部屋内側に添着される取付基部５１から順に外側へ内側カバー５２と前カバー５３を一体に設けた構造であり、ドライバー等によって変形や破損のない強度を有した樹脂やアルミ等の成形品からなる。取付基部５１には、係止体６０の回動軸部６１やバネ６４の一端が嵌まる左右方向の溝が設けられる他、錠用スラット４０に設けた孔に見合う位置に貫通孔が設けられ、ここにリベットやビスを通して錠用スラット４０に固定している。尚、軸着部材５０がアルミ等の成形品であれば、溶接等で錠用スラット４０に固定することも可能である。このとき、取付基部５１の上縁と下縁とを錠用スラット４０の軸受部４２とその下方に上向きの溝状に設けた抱持部４３によって抱きかかえるようにしており、少ない固定点数で所要の取り付け強度が得られるようにしている。
【００１９】
内側カバー５２は、ガイドレール１２の前壁１５と後壁１３との間を塞ぐ前後厚みを有して錠用スラット４０の側端面に鍔状に張り出す形に設けられており、前カバー５３は、内側カバー５２の前縁から外側方へ壁状に突出して設けられている。内側カバー５２の中央には左右方向の貫通孔があって、係止体６０の回動軸部６１を外側に貫通させている。内側カバー５２の外側には回動軸部６１の先端に係止部６２がクランク状に立ち上がり、内側面が内側カバー５２によって覆われ、前面が前カバー５３によって覆われている。前カバー５３の後面には、図７に示すように、係止部６２が解錠方向に回動した時の逃がしとなる窪み部５８を設けて回動ストロークを確保している。係止部６２の立ち上がり部分は内側カバー５２の外側面に設けた凹部５７内に収容されており、立ち上がり部分の上下面が内側カバー５２によって覆われた形になっている。以上の内側カバー５２と前カバー５３は、ドライバー等が内側方向や前方向から侵入するのを阻止して解錠操作ができないようにするものである。尚、内側カバー５２については、スラット２０がガイドレール１２内で前後に振れるのを防ぐ作用もあるから、施錠状態が確実に保持される。
【００２０】
この場合、内側カバー５２や前カバー５３は上下に長いほど係止部６２の障壁としての機能は高まるが、ドラム１１への巻き取り時に出っ張ったり、ガイドレール１２への引き込み時につかえたりしない程度の長さに設定する必要がある。又、係止部６２の上下を覆う内側カバー５２の凹部５７を除く部分は、できるだけ外方に延ばした方が内側カバー５２や前カバー５３の上下長を小さく設定できる利点があるが、係止部材３０に衝突しないよう、これとの間にある程度の隙間は必要である。
【００２１】
内側カバー５２の貫通孔の周囲には係止体６０の回動軸部６１に外挿されるバネ６４のコイル部分を収納する空間が設けられる他、内側カバー５２の上下端を錠用スラット４０の上部又は下部に連結したスラット２０の連結部２１の側端面に当接する位置まで延設し、スラット２０に対する錠用スラット４０の左右抜け止めを図る抜止部５６とし、上述した通常のスラット２０同士の抜止部２２に必要な潰しによる別加工を錠用スラット４０の部分では不要として生産性を高めている。
【００２２】
更に、内側カバー５２の内側面には、錠用スラット４０の後面側に部分的に突出する内側移動規制部材５５を設け、その内方に対向するガイドレール１２の開口端部の後壁１３に、軸着部材５０が内方へ横ずれした際に内側移動規制部材５５が衝突してそれ以上の内方移動を規制する内側移動規制段部１６を設けておき、この内側移動規制部材５５と内側移動規制段部１６とで内側移動規制手段５４としている。本例では、ガイドレール１２の後壁１３の内側端縁に上下方向に延設したモヘア１７（図８参照）を取り付けるための突片を内側移動規制段部１６として利用するようにしている。
【００２３】
規制部材８０は、ガイドレール１２内に固定して設けられるもので、施錠時において、係止突起３０や係止部６２の周囲を保護するものである。この規制部材８０は、ガイドレール１２の前壁１５の後面に沿って配置される平板状の前方移動規制片８１を有しており、本例では、前方移動規制片８１の外方端縁を後方に折り曲げて側部８３として延設する他、更に、側部８３の後面側端縁を内方に折り曲げて固定部８２として延設し、この固定部８２をガイドレール１２の後壁１３にリベット等で添着するようにしている。尚、これに代えて、規制部材８０の側部８３をガイドレール１２の側壁１４に添着してもよい。又、固定部８２の上部を前方に曲げ起こして係止部材３０を一体に設けているが、当然ながら別体に設けることも可能である。
【００２４】
又、係止部材３０の下方位置には、固定部８２から前方へ切り起こして下障壁８４を設けている。これは施錠時に係止体６０の係止部６２の下面を覆ってこの方向からのドライバー等の侵入も阻止して解錠を阻止するものである。この際、下障壁８４の前端と前方移動規制片８１との間には軸着部材５０の前カバー５３が入り込むことができるスペースを確保しておく。下障壁８４がない場合でも、軸着部材５０の内側カバー５２や前カバー５３が障壁となって下側からもドライバー等を差し込み難くしているが、この下障壁８４があれば、更に困難となる。依って、軸着部材５０の内側カバー５２や前カバー５３の下方への延出量を少なく設定しても、保護効果が保持できる利点がある。但し、内側カバー５２や前カバー５３の下端は、下障壁８４よりも下方に位置させるのが隙間を生じさせないから好ましい。
【００２５】
更に、係止部材３０下方の内側端位置には、ガイドレール１２の後壁１３と軸着部材５０の前カバー５３との間を塞ぐ横障壁８５を固定部８２の内方端縁を前方に折り曲げて延設している。前カバー５３の後面であって下障壁８４と内側カバー５２との間の隙間に対して、下方からのドライバー等による係止部６２への直接接触を防止するものであり、これも、施錠時に係止部６２の下方の障壁にして解錠を阻止するものである。この際、横障壁８５の前端と前方移動規制片８１との間には軸着部材５０の前カバー５３が入り込むことができるスペースを確保しておく。又、係止部材３０の水平部３２の下方には、横障壁８５の上端との間に係止部６２が出入りする隙間を確保しておく。
【００２６】
規制部材８０は、所定強度を備えた前方移動規制片８１が設けられるものであればよく、例えば、側部８３を設けることなく、前方移動規制片８１の下端を後方へ折り曲げて下障壁８４を延設し、下障壁８４から更に上方へ折り曲げて固定部８２を延設することも考えられる。又、下障壁８４は、側部８３又は横障壁８５からも切り起こしたり、折り曲げたりして設けることができる他、横障壁８５も種々の形態が考えられ、勿論、規制部材８０と別体に設けることもできる。更に、各障壁８４、８５も、障壁として機能する位置に必要強度を備えた状態で設けられるものであればよい。この他、軸着部材５０の内側移動規制手段５４も、例えば、規制部材８０の前方移動規制片８１の内側端縁に裏面側への折曲片を設けてその外側面側を内側移動規制段部とし、その外方に対向する前カバー５３の前面に内側向きの内側移動規制部材を設けたものであってもよい。以上の規制部材８０は、ドライバー等によっても変形や破損が阻止される強度と厚みを有した金属や樹脂で構成されるのが通常である。
【００２７】
錠用スラット４０の上部に連結されたスラット２０の左右両端には、スラット２０が左右にずれると、ガイドレール１２の側壁１４に当接して錠用スラット４０の左右位置を適正に保持する機能を有するガイド部材９０を外側方へ突設しており、先端には、側壁１４への当接面となる当接部９１が形成されている。ガイド部材９０は、上方からのドライバー等の侵入に対して係止部材３０と係止部６２とからなる施錠部分を保護する障壁としての役割も併せ持っているが、係止部６２の上面側は係止部材３０が覆っているし、軸着部材５０の内側カバー５２や前カバー５３も、係止部６２よりも幾分上方へ延びているから、ガイド部材９０によって上面を完全に覆ってしまう必要はない。このガイド部材９０を設けておけば、内側カバー５２や前カバー５３の上端を低く設定しても、保護効果が保持できる。
【００２８】
以上の構成により、パネル１０を引き降ろしての開口部の閉塞時、錠用スラット４０がガイドレール１２の係止部材３０が存在する個所を通過する際、係止部６２が係止部材３０の斜辺部３１に当たるが、このとき、係止部６２は回動軸部６１を中心に回動できるから（図７）、パネル１０の下降に伴って係止部６２はバネ６４の力に抗して斜辺部３１の頂上側に回動する退避動作をとってこれを乗り越える。この場合、係止体６０の掛合部６３は解錠操作レバー７０の指掛け部７２ｃのスペース７２ｂ内を回動範囲として回動するように設定されており（図５）、この掛合部６３の前後動きでは、解錠操作レバー７０は回動しないものとなっている。従って、解錠操作レバー７０が動くことによる人の身体や衣服への接触はない。
【００２９】
一方、係止部６２が斜辺部３１を乗り越えると、係止部６２はバネ６４の作用で自動的に水平部３２の下面に回り込む復帰動作をとり、パネル１０の上昇は規制される施錠状態となるが、この復帰動作のときにも、解錠操作レバー７０は動かないから、指や衣服を挟むこともない。更に、係止体３０のクランクの部分もカバー部６５によって隠しておけば、退避動作、復帰動作ともにその動きが目に見えないから、不安感を与えることもないし、体裁も一層よくなる。その他、パネル１０を引き降ろす際、解錠操作レバー７０の指掛け部７２ｃの上面に指を掛けて引き下げるが、このとき、限られた突出量であっても操作が行い易いように、幾分前上がりに傾斜させたり、先端を上方に突出する形状にしたりするのが好ましい。
【００３０】
一方、錠装置を解錠してパネル１０を引き上げる場合は、解錠操作レバー７０の指掛け部７２ｃの下面を持って軸部７１を中心に解錠操作レバー７０を上方回動させることになるが、このとき、係止部６２は係止部材３０をかわす方向に回動することになるから、この状態を維持している限り、パネル１０は上方に引き上げられる。尚、この状態になると、解錠操作レバー７０が軸受部４２の開口端縁に当接して解錠操作レバー７０の回動は規制されるようになっており（図５）、解錠操作レバー７０をそのまま手で持ち上げて行くことでパネル１０は上方へ引き上げられる、所謂、ワンアクションによって解錠と引き上げが可能になっている。このとき、解錠操作レバー７０の指掛け部７２ｃの下面は、幾分前下がりに傾斜させたり、先端を下方に突出する形状にしたりすると、限られた突出量であっても操作が行い易いものとなる。
【００３１】
ところで、以上の錠装置００は、施錠状態にあるものを屋外側から無理やり解錠（破錠）するのを阻止して最近急増しているこの種の犯罪を防止したものであるが、ここで、以上述べた破錠の態様と、その防御のメカニズムを整理してみる。この破錠の態様には、大別して、係止部６２を直接操作して係止部材３０から外す方法と、係止部６２を保持している軸着部材５０そのものを動かして係止部６２を係止部材３０から外す方法とがある。前者の方法でもっとも多いのは、ガイドレール１２の前壁１５と錠用スラット４０との隙間からドライバーのようなものを差し込んで係止部６２を直接操作するやり方である。しかし、これに対しては、内側カバー５２が係止部材３０の内側方にガイドレール１２の前壁１５と後壁１３との間を塞ぐように存在しているから、その侵入が防止できる。又、上記した隙間の上方や下方から斜めに差し込むやり方に対しては、上方からのものに対しては係止部材３０やガイド部材９０が、下方からのものに対しては前カバー５３や下障壁８４及び横障壁８５といったものが邪魔をする。
【００３２】
更に強引なやり方として、バールのようなものを用いてガイドレール１２の前壁１５を無理やり押し広げ、上記隙間を拡大させてドライバー等を差し込む方法がある。しかし、これに対しても、横からの差込みに対しては、譬え、ドライバー等が内側カバー５２を越えたとしても、その外側方には、係止部６２の前方を覆っている前カバー５３が存在するから、係止部６２への接触を不能にする。又、前カバー５３の前方には、前方移動規制片８１も存在するから、これらが二重の障壁となって侵入防止を一層強固にする。更に、上方や下方からのものについては、上記した係止部材３０や下障壁８４等の存在がそれを邪魔する。
【００３３】
一方、係止部６２を保持している軸着部材５０そのものを内側方又は前方に引き出せば、係止部６２は係止部材３０から外れることになる。この場合、内側方への引出しは、錠用スラット４０を手前に引っ張ったり、向こうに押し込んだりして湾曲又は折損させ、これで引き抜くことになるが、これに対しては、軸着部材５０の内方側には、これの一定以上の移動を規制する内側移動規制部材５５が設けられているから、引抜きはできない。この場合、係止部６２と係止部材３０との係止代を十分にとっておくことは、この効果をより完全なものにする。
【００３４】
これに対して、軸着部材５０の前方への引出しは、このときはガイドレール１２の前壁１５の押し広げを伴っているが、譬え、軸着部材５０が前方に引き出せるまで前壁１５を押し広げたとしても、その前方には、前方移動規制片８１が存在するから、引出しはできない。このとき、前方移動規制片８１を前壁１５とは独立させておくと、前方移動規制片８１は前壁１５の押し広げによる影響を全く受けないため、その規制効果を完全なものとするし、前方移動規制片８１を十分に内側方に延ばして前カバー５２との重合代を大きくとっておくことも、破錠防止に大きな効果がある。更に、このときの内側方への引出しは、前方移動規制片８１の存在によって内側移動規制手段５４の規制効果が維持されているし、内側移動規制手段５４も前壁１５とは独立させておくと、内側移動規制手段５４は前壁１５の押し広げによる影響を全く受けないため、その規制効果を完全なものとする。
【００３５】
この他の態様、例えば、軸着部材５０の外側方への引出し及び後方への押込みは、係止部６２が係止部材３０から外れない方向であるし、上記した種々の部材及び屋外側からは触れないガイドレール１２の部位等が障壁となってそれができないから、殆ど問題とはならない。尚、これは言うまでもないことであるが、以上の錠装置００は、錠用スラット４０の両側に設けられているものであるから、譬え、片側の錠装置００が破錠されたとしても、他方の錠装置００は依然として正常に機能しており、そのままではシャッターは上方に引き上げられない。この点で、この錠装置００は、シャッターの下端等を一カ所だけ施錠するようなものに比べて本来的に防犯性が高いものと言える。
【００３６】
錠用スラット４０を設ける位置は上下方向に任意に設定可能である。依って、最も楽な操作姿勢をとれるように設定すればよい。一般に、屈んだり背伸びしたりしなくても、手が届くパネル１０の上下中間位置に錠用スラット４０を設けておくのが最も楽な姿勢で操作できる。従って、シャッターを取り付ける開口の高さ位置や上下寸法に応じて最適な位置となるよう設定しておくのが好ましい。
【００３７】
図９はシャッターの他の例を示す裏面図であるが、錠用スラット４０より下方のスラット９５は、上下に遊び動きができるように連結してある。具体的には、上下端をそれぞれフック状の連結部９６に形成して上下隣接するものを各々上下に遊びを設けて嵌合しているものであり、上から押さえると縮み、上に引っ張ると延びた状態になるものである。従って、スラット９５の連結部９６に通風孔９７を形成しておけば、縮んだときには通風孔９７が隠れ、延びたときには現れるものとなる。
【００３８】
そこで、この通風孔９７が現れる位置と、隠れる位置の比較的接近させた位置にそれぞれ上方係止部材９８と係止部材３０を設けておき、上方係止部材９８で施錠すると、錠用スラット４０はドラム１１に組み込んだバネによって上方へ引っ張られた状態で係止体６０が上方係止部材９８に係止され、錠用スラット４０から下方のスラット９５は自重で延びて通風孔９７が露出して通風や採光を可能にする。そして、下方に設けた係止部材３０で施錠すると、錠用スラット４０から下方のスラット９５は縮んで通風孔９７を露出させないといった仕組みが可能となる。
【００３９】
尚、上方係止部材９８を複数設けて通風孔９７の露出範囲を調整することも可能である。このとき、係止部材３０に対応する位置のみに規制部材８０を設けておけば、完全にシャッターを閉じた状態にする就寝時や外出時における外部からの錠装置のこじ開けを防止できるものとなる。更に、上方係止部材９８に対応する位置にも、前方移動規制片８１を設けることは可能であるから、通風状態のときにも錠装置００のこじ開けを防止できるものとなるのは言うまでもない。この場合、一つの規制部材８０に係止部材３０や上方係止部材９８を一体に設け、これらに対応する前方移動規制片８１も一体化することで、部品の取扱い性や組付け性の向上を図ることが可能となる。
【００４０】
図１０〜図１４は本発明の第２の錠装置１００を示すものであり、このうち、図１０はシャッターの裏面図、図１１は図１０のＥーＥ拡大断面図、図１２は同じくＦーＦ拡大断面図、図１３は同じくＧーＧ拡大断面図である。シャッターは、複数のスラット１０１を上下に屈曲可能に連結してなるシャッターパネル（パネル）１０２を上部のボックス１０３内に軸支したドラム１０４に巻き取り可能に吊り下げ、パネル１０２の左右両端側を断面コ字形をしたガイドレール１０５で保持して案内するものであるのは、第１の場合と同じである。そして、左右のガイドレール１０５の外方側内面には、錠装置１００を構成する係止部材１０６が取り付けられており、又、スラット１０１の最下位を構成するボトムスラット１０７の部屋内側には、長手方向に溝１０８が形成されてこの溝１０８に同じく錠装置１００を構成する左右二本に分割された係止体１０９がスライド可能に保持されている。尚、各係止体１０９は、後述するスプリング１１０によって常時外方側へ付勢されてボトムスラット１０７の端面より外方に突出している。
【００４１】
この場合において、前記した係止部材１０６は、パネル１０２を降ろしたときにボトムスラット１０７に保持される係止体１０９の上方位置に設けられるものであり、上述したとおり、内面に下り傾斜の傾斜部１１１を有するとともに、下面に水平な水平部１１２を有する裏面視三角形状をしているものである。勿論、その頂部はボトムスラット１０７の端面よりは外方に在ってパネル１０２の昇降には支障がないようになっている。しかし、係止体１０９の左右両端はこの頂部よりも外方に突出しており、スラット１０１を下降させるときには、スプリング１１０の付勢力に抗して係止部材１０６の傾斜部１１１を滑り下りる退避動作をとらせ、頂部を過ぎるとスプリング１１０の作用で自動的に水平部１１２の下方に突出する復帰動作をとってパネル１０２がその位置から上がらないように、即ち、施錠をする。この点で、本例のものは、係止体１０９の退避動作が左右動きをするものであると言える。一方、解錠は、両係止体１０９をスプリング１１０の付勢力に抗して内方側に寄せればよいのであり、このとき、係止体１０９の両端は係止部材１０６の頂部よりも内方まで後退するから、即ち、上記退避動作を越える動きをするから、係止部材１０６を通過することができる。
【００４２】
以上の施解錠を行なうのが錠装置１００であるが、本例の錠装置１００は次のように構成されている。ボトムスラット１０７における係止体１０９の分割位置（本例では左側寄りに設定されている）には、図１４に示すように、ケース１１３が設けられており、このケース１１３の内部に、二つの回動軸１１４と、各々の回動軸１１４に軸支される二つのレバー１１５と、レバー１１５同士に架け渡されるスプリング１１０がそれぞれ設けられている。そして、各レバー１１５には、各係止体１０９に形成された長孔１１６に嵌まり込む連結ピン１１７が設けられており、これによってレバー１１５と係止体１０９とは連係されている。
【００４３】
この場合におけるスプリング１１０は引張りばねで、二つのレバー１１５の間に回動軸１１４を中心にして連結ピン１１７の反対側に張られている。これにより、係止体１０９は常に外側へ付勢されていることになる。両レバー１１５は、二つとも上端が外方へ屈曲した形状の上下逆Ｌ字状に形成されている。ケース１１３の上縁の中央と両端の三箇所には、レバー１１５の移動経路を塞ぐストッパ部１１８が形成されており、各ストッパ部１１８の間からレバー１１５の先端が突出して回動範囲が規制される。各レバー１１５の屈曲した上部先端には後述する連結体１１９を固定するための孔１２０が形成されている。
【００４４】
これらケース１１３をボトムスラット１０７へ取り付けるには、図１２に示すように、ケース１１３に形成された孔から挿し込んだ止めネジ１２１をボトムスラット１０７の溝１０８内に保持した板ナット１２２にスペーサ１２３を介して止め付ければよい。この点で、ボトムスラット１０７は各スラット１０１とは違う形状をしている。具体的には、手で持っての引き上げや引き下げをするために高強度に設計されているとともに、下面には下降における衝突時の消音や気密のためのモヘア１２４及び湿気やゴミ等の浸入を防ぐ水切り１２５等が形成されている。
【００４５】
そして、上下中間位置に在るスラット１０１の部屋内側には、解錠操作レバー１２６が取り付けられている。この解錠操作レバー１２６は、図１３に示すように、上部の板状部１２６ａと、下部の部屋内側に膨出する筒状部１２６ｂからなるもので、取付ベース１２７に水平方向に掛け渡された回動軸１２８に板状部１２６ａの上部が回動可能に取り付けられている。従って、この筒状部１２６ｂは、パネル１０２を上下させる際に手を掛ける手掛かり部１２６ｂを兼ねるものとなっている。尚、筒状部１２６ｂの上下の壁面には、錠装置１００との間を繋ぐ連結体１１９を通すための孔１２９が形成されている。
【００４６】
連結体１１９は、ロープ、ベルト、チェーンといったドラムへの巻き取りが可能で強靱な材質からなる可撓性の索条からなり、本例のものでは下部が二股に形成されている。二股に分かれた下端はそれぞれ左右のレバー１１５の孔１２０に挿入し、先端に圧着体１３１等をかしめ固定して抜け止めとしている。連結体１１９の上端は、ほぼ真上位置にある解錠操作レバー１２６の下部の手掛かり部１２６ｂに形成された孔１２９を貫通しており、先端に圧着体１３１を止め付ける等して抜け止めとしている。更に、解錠操作レバー１２６の下方のスラット１０１には、以上の連結体１１９を通すリング状の案内具１３２が設けられている。
【００４７】
以上において、シャッターを開ける際は、解錠操作レバー１２６の手掛かり部１２６ｂの下面側に手を掛けて上方へ回動させる。このとき、解錠操作レバー１２６は、約９０°回動した時点でストップされ、それ以上回動しないようになってワンアクションを可能にしている（図１３）。解錠操作レバー１２６を上方へ回動させると、案内具１３２より下方の連結体１１９は上方へ引っ張られ、両レバー１１５を内方へ回動させるとともに、両係止体１０９を共に内方へ引き寄せて解錠位置に設定する。このとき、上述のように、ドラム１０４は巻き取り方向にスプリングで付勢されているが、この付勢力は、パネル１０２が幾分上昇するように設定されているので、係止体１０９は係止部材１０６を止まることなく越え、後の操作は解錠操作レバー１２６の位置を気にせずに手掛かり部１２６ｂを持ったまま、即ち、持ち替えることなく、パネル１０２を引き上げればよい。以上より、解錠操作レバー１２６を設けるスラット１の上下中間位置とは、直立した姿勢で手が楽に届く位置のことである。
【００４８】
尚、解錠操作レバー１２６を回動すると、通常、連結体１１９は斜め上方への引っ張りとなるが、案内具１３２に挿通することによって所定の張り掛け姿態が保たれるようになっている。具体的には、案内具１３２から下の部分は真上に引っ張られるようになっているのである。このようにすることなしにそのまま斜め上方に引き上げると、傾き側のレバー１１５及び係止体１０９の作動が不十分で解錠できないことがあるが、このように真上に引き上げることによってこの点も解消できる。この点で、案内具１３２は重要な意味を有しており、解錠操作レバー１２６に近い位置に設けるほど効果は高くなる。以上の案内具１３２は、連結体１１９との滑りを良くするためにローラ等を用いたものでもよいが、連結体１１９が容易に外れないように、スラット１０１に対して強固に止め付ける必要がある。
【００４９】
一方、シャッターを閉じる際は、ボトムスラット１０７を手で持って引き下げ、途中から手掛かり部１２６ｂの上面側に手を掛けて押し下げればよい。従って、解錠操作はもとより、開閉操作中一切屈む姿勢をとる必要がないから、腰等に負担がかからない。このことは、シャッターを閉める際に力を加え易い立ったままの姿勢で手掛かり部１２６ｂを押し下げられることを意味するから、巻き取り方向のスプリングの力を強く設定することができる。これにより、上述したように、解錠すると同時に自動的にパネル１０２を幾分上昇させて係止体１０９を係止部材１０６の上方に越えさせて確実に解錠させることが可能となる。この他、解錠操作レバー１２６は、スラット１０１のほぼ幅一杯に設けられているから、引き違い窓の左右どちらからでも解錠操作ができる。但し、部分的に設けることも可能である。
【００５０】
ところで、シャッターを引き下げるとき、その引下げに伴って係止体１０９は係止部材１０６に対して一定の退避動作を行い、その後、自動的な復帰動作がなされて施錠するのは上述したとおりである。この場合において、係止体１０９が退避動作をするときには、レバー１１５は中に寄せられ、これに伴って連結体１１９はその長さが余ることになるが、これに対しては、連結体１１９が撓むか、連結体１１９自身が解錠操作レバー１２６の手掛かり部１２６ｂを抜け出るかして対応するから（図１３）、いずれにしても、係止体１０９の退避動作によって解錠操作レバー１２６が回動したりすることはない。従って、身体や衣服にふれることもないし、その後の復帰動作の際に音が発生したり、指や衣服を挟むこともない。
【００５１】
パネル１０２の巻取りには、部屋外側へ巻き取る外巻きと部屋内側に巻き取る内巻きとの二種類がある。外巻きの場合、パネル１０２は部屋外側面を巻き取り内面にして順次巻き重ねられる。本例では、巻きに影響が出ないよう手掛かり部１２６ｂ及び案内具１３２の突出量を少なく設定しているが、幾分スラット１０１の厚みよりも突出するものであっても差し支えない。スラット１０１の上面（スラットの部屋内面）に重ならないパネル１０２の下方部分であれば、突出量を増してより手の掛け易い手掛かり部１２６ｂとすることができる。ドラム１０４の直径やスラット１０１及びパネル１０２の高さ寸法等によっても異なるが、例えば、ドラム１０４の直径が７０ｍｍ、一枚のスラット１０１の高さ寸法が４０ｍｍ、パネル１０２の高さが２００ｍｍ程度のものであれば、下から６００ｍｍ位までの高さの１５枚前後のスラット１０１がこの状態になる。
【００５２】
連結体１１９は、外巻き、内巻きを問わず、ドラム１０４に対してスラット１０１と共に巻かれるので、可撓性を有する材質のものを選定することになる。特に、外巻き式のパネル１０２では、ドラム１０４に対して連結体１１９が伸びる方向に巻かれるので、幾分伸びを許容する材質のものを選定することになるが、この場合、解錠操作や経年変化によって伸びが生じる虞もあるので、ワイヤー紐やチェーンといった細くて丈夫なものを用いるのが好ましい。更に、ドラム１０４への巻き取りに伴う連結体１１９の引張力に対してはレバー１１５が回動して追従するので、この回動範囲内で対処できない場合のみ、パネル１０２を閉じた状態において若干の遊びを持たせておくのが好ましい。尚、遊びがあったとしても、わずかな量であるし、案内具１３２が連結体１１９を所定の張り掛け姿態に保つので、何ら解錠操作に支障は来さない。この他、連結体１１９には、パネル２と共に巻き込んでも異音の発生や表面を傷つける虞のないビニールコーティング等を施しておくのが適する。
【００５３】
ところで、錠装置にはこの他の態様、例えば、上記の係止部材が両方のガイドレール内に設けられるのに対し、部屋内側の水切板等、シャッターを取り付ける開口部の下縁に設けられる底枠部材の適所に設けられるピン等によって係止部材を構成し、これに対する係止体は、この係止部材に係脱するキャッチ体を係止体としてボトムスラットに設け、この係止外しを、連結体を介して連結される解錠操作レバーで行うようにしたものもあるが、本発明は、このような錠装置を有するシャッターにも適用される。
【００５４】
【発明の効果】
以上、本発明によれば、回動して解錠操作する解錠操作レバーは、シャッターを引き下げる際の手掛かり部を兼ねるものであるから、錠用スラットに別途手掛かり部を設ける必要がなく、錠用スラットの上下長さを小さくできる。よって、低コスト化が図れる他、ドラムへの巻き取り径を小さくできる。又、係止体と連係する解錠操作レバーの部位は、剛性の高い筒状部に形成されているから、解錠操作レバーの強度は上がり、操作時に捩じれや変形が起こらない。従って、正常な機能を長期に維持できる。
【図面の簡単な説明】
【図１】本発明の一例を示すシャッターの錠装置の斜視図である。
【図２】本発明の一例を示すシャッターの錠装置の斜視図である。
【図３】本発明の一例を示すシャッターの裏面図である。
【図４】本発明の一例を示すシャッターの要部拡大裏面図である。
【図５】本発明の一例を示すシャッターの図３中Ａ−Ａ断面図である。
【図６】本発明の一例を示すシャッターの図３中Ｂ−Ｂ断面図である。
【図７】本発明の一例を示すシャッターの図３中Ｃ−Ｃ断面図である。
【図８】本発明の一例を示すシャッターの図３中Ｄ−Ｄ断面図である。
【図９】本発明の他の一例を示すシャッターの裏面図である。
【図１０】本発明の他の一例を示すシャッターの裏面図である。
【図１１】本発明の他の一例を示すシャッターの図１０中ＥーＥ断面図である。
【図１２】本発明の他の一例を示すシャッターの図１０中ＦーＦ断面図である。
【図１３】本発明の他の一例を示すシャッターの図１０中ＧーＧ断面図である。
【図１４】本発明の他の一例を示すシャッターの錠装置の裏面図である。
【符号の説明】
００　錠装置
１０　シャッターパネル
１１　ドラム
１２　ガイドレール
１３　後壁
１４　側壁
１５　前壁
１６　内側移動規制段部
１７　モヘア
２０　スラット
２１　連結部
２２　抜止部
３０　係止部材
３１　斜辺部
３２　水平部
４０　錠用スラット
４１　連結部
４２　軸受部
４３　抱持部
５０　軸着部材
５１　取付基部
５２　内側カバー
５３　前カバー
５４　内側移動規制手段
５５　内側移動規制部材
５６　抜止部
５７　凹部
５８　窪み部
６０　係止体
６１　回動軸部
６２　係止部
６３　掛合部
６４　バネ
６５　カバー部
７０　解錠操作レバー
７１　軸部
７２ａ　解錠操作レバーの板状部
７２ｂ　　　　〃　　　のスペース
７２ｃ　　　　〃　　　の筒状部（手掛かり部）
８０　規制部材
８１　前方移動規制片
８２　固定部
８３　側部
８４　下障壁
８５　横障壁
９０　ガイド部材
９１　当接部
９５　スラット
９６　連結部
９７　通風孔
９８　上方係止部材
１００　錠装置
１０１　スラット
１０２　シャッターパネル
１０３　ボックス
１０４　ドラム
１０５　ガイドレール
１０６　係止部材
１０７　ボトムスラット
１０８　溝
１０９　係止体
１１０　スプリング
１１１　傾斜部
１１２　水平部
１１３　ケース
１１４　回動軸
１１５　レバー
１１６　長孔
１１７　連結ピン
１１８　ストッパ部
１１９　連結体
１２０　孔
１２１　止めネジ
１２２　板ナット
１２３　スペーサ
１２４　モヘア
１２５　水切り
１２６　解錠操作レバー
１２６ａ　　〃　の板状部
１２６ｂ　　〃　の筒状部（手掛かり部）
１２７　取付ベース
１２８　回動軸
１２９　孔
１３０　圧着体
１３１　案内具
【図１】
2004027713.tif 000003
【図２】
2004027713.tif 000004
【図３】
2004027713.tif 000005
【図４】
2004027713.tif 000006
【図５】
2004027713.tif 000007
【図６】
2004027713.tif 000008
【図７】
2004027713.tif 000009
【図８】
2004027713.tif 000010
【図９】
2004027713.tif 000011
【図１０】
2004027713.tif 000012
【図１１】
2004027713.tif 000013
【図１２】
2004027713.tif 000014
【図１３】
2004027713.tif 000015
【図１４】
2004027713.tif 000016